(57)【要約】      （修正有）【課題】モータから発生する熱を光走査装置の外部へ放散するとともに、外部から光走査装置内へ異物が侵入することを抑制する光走査装置を提供する。【解決手段】光走査装置は、回転多面鏡と、回転多面鏡を駆動するモータと、モータとモータを制御する駆動ユニットとが取り付けられた基板であって、モータの軸受を通過させる開口を備える基板と、駆動ユニットが取り付けられた面の裏面が対向するように基板が設置される設置面２１ａを備え、基板の開口を通過した軸受が挿入される連通穴２２であって、光学箱の内部と光学箱の外部を連通させる連通穴が設置面に設けられた光学箱と、を備え、光学箱は、連通穴の一部を閉塞しないように連通穴の内壁２２ａから立設し、連通穴に挿入された軸受が嵌合される嵌合部２３と、光学箱の内部側の連通穴の周囲に設置面から設置面に取り付けられた基板へ向かって突出する突起２４と、を備える。【選択図】図１
2015041076.tif 000002
【特許請求の範囲】
【請求項１】
回転多面鏡と、
前記回転多面鏡を駆動するモータと、
前記モータと前記モータを制御する駆動ユニットとが取り付けられた基板であって、前記モータの軸受を通過させる開口を備える前記基板と、
前記駆動ユニットが取り付けられた面の裏面が対向するように前記基板が設置される設置面を備え、前記基板の前記開口を通過した軸受が挿入される連通穴であって、光学箱の内部と前記光学箱の外部を連通させる連通穴が前記設置面に設けられた前記光学箱と、を備え、
前記光学箱は、
前記連通穴の一部を閉塞しないように前記連通穴の内壁から立設し、前記連通穴に挿入された前記軸受が嵌合される嵌合部と、
前記光学箱の内部側の前記連通穴の周囲に前記設置面から前記設置面に取り付けられた前記基板へ向かって突出する突起と、を備えることを特徴とする光走査装置。
【請求項２】
前記突起は、前記基板の前記裏面に接触していないことを特徴とする請求項１に記載の光走査装置。
【請求項３】
前記突起と前記基板の前記裏面との間に隙間が形成されていることを特徴とする請求項１又は２に記載の光走査装置。
【請求項４】
前記軸受の側面の一部及び前記軸受の端面は、前記光学箱の外部の周囲空気に接触していることを特徴とする請求項１乃至３のいずれか一項に記載の光走査装置。
【請求項５】
前記軸受は、前記モータの回転軸を回転可能に支持するスリーブであることを特徴とする請求項１乃至４のいずれか一項に記載の光走査装置。
【請求項６】
前記突起と前記基板の前記裏面との間の距離をａとし、
前記突起の周方向長さをｂとし、
前記突起の厚みをＬとしたときに、
０＜（ａ×ｂ）／Ｌ≦３．８
の関係を満たすことを特徴とする請求項１乃至５のいずれか一項に記載の光走査装置。
【請求項７】
記録媒体に画像を形成する画像形成装置であって、
請求項１乃至６のいずれか一項に記載の光走査装置と、
前記光走査装置からの光ビームにより静電潜像が形成される感光体を有する画像形成部と、
を備えた画像形成装置。
【発明の詳細な説明】
【技術分野】
【０００１】
本発明は、光走査装置、及び光走査装置を有する画像形成装置に関する。
【背景技術】
【０００２】
レーザビームプリンターやデジタル複写機などの電子写真方式の画像形成装置は、感光体を露光するための光走査装置が設けられている。光走査装置は、半導体レーザ（以下、光源という。）から出射されたレーザ光（以下、光ビームという。）を回転多面鏡により偏向して光ビームで感光体上を走査する。それによって、感光体上に静電潜像が形成される。現像器は、静電潜像を現像剤（トナー）で現像してトナー像にする。転写装置は、トナー像を記録媒体へ転写する。定着装置は、トナー像を記録媒体に定着して記録媒体上に画像を形成する。
【０００３】
近年、カラー画像を形成するカラー画像形成装置が広く普及している。カラー画像形成装置は、４サイクル方式とタンデム方式に大別される。４サイクル方式は、一つの感光体上にイエロー、マゼンタ、シアン、及びブラックのトナー画像を一つずつ順に形成し、一つの感光体上にトナー像が形成される度に、トナー像を記録媒体又は中間転写体へ転写する。４サイクル方式によれば、画像形成装置を比較的小型化することができるが、単位時間当たりの印刷枚数が少ない。これに対して、タンデム方式は、それぞれの色ごとに専用の感光体を備えて各色のトナー像をそれぞれの感光体から順次記録媒体又は中間転写体へ転写する。中間転写体を用いたタンデム方式は、印刷を高速化することができ、また、幅広い紙種に対応できるので、主流となっている。
【０００４】
このようなタンデム方式の画像形成装置においては、小型化及び低コスト化の観点から、一つの回転多面鏡を用いて複数の光ビームを走査するマルチビーム光走査装置が広く用いられている。
【０００５】
マルチビーム光走査装置において、回転多面鏡は、モータによって回転駆動される。モータは、光走査装置の光学箱に固定される動圧軸受機構を有する。動圧軸受機構は、回転軸と軸受との間に潤滑油が満たされており、回転によって生じる潤滑油の圧力を利用して回転軸を支える。モータの回転速度は、４０，０００ｒｐｍ以上の高速であるので、軸受の温度は、モータが回転し始めてから数分以内で１５℃以上も上昇する。モータの軸受を中心に局所的に熱が発生するので、光学箱に不均一な温度分布が生じる。光学箱は、不均一な温度分布によって歪みなどの変形を生じる。光学箱の変形は、光学箱に取り付けられた光学部材の姿勢を所望の姿勢から変化させるので、光ビームの光路が所望の光路から変動する。そのため、形成される画像の画質が低下する。
【０００６】
そこで、光走査装置内の温度上昇を抑えるために、特許文献１は、モータの軸受から発生する熱を外部へ放散することができる光走査装置を提案している。特許文献１の光走査装置は、光学箱の下部にカバーが取り付けられており、モータの軸受は、光学箱の位置決め穴に挿入されている。軸受の端面がカバーと対向する位置で、カバーに穴を設けている。軸受から発生する熱は、軸受の端面からカバーの穴を通して光走査装置の外部へ放散される。これによって、光走査装置内の温度上昇を抑えることができる。
【先行技術文献】
【特許文献】
【０００７】
【特許文献１】特許第４６７６３２８号公報
【発明の概要】
【発明が解決しようとする課題】
【０００８】
しかし、特許文献１においては、モータの軸受の端面のみしか外部に露出していないため、軸受から発生する熱を外部へ放散するという効果は限定的である。
【０００９】
そこで、本発明は、モータから発生する熱を光走査装置の外部へより効果的に放散するとともに、外部から光走査装置内へ異物が侵入することを効果的に抑制することができる光走査装置及び画像形成装置を提供する。
【課題を解決するための手段】
【００１０】
前記課題を解決するために、本発明による光走査装置は、
回転多面鏡と、
前記回転多面鏡を駆動するモータと、
前記モータと前記モータを制御する駆動ユニットとが取り付けられた基板であって、前記モータの軸受を通過させる開口を備える前記基板と、
前記駆動ユニットが取り付けられた面の裏面が対向するように前記基板が設置される設置面を備え、前記基板の前記開口を通過した軸受が挿入される連通穴であって、光学箱の内部と前記光学箱の外部を連通させる連通穴が前記設置面に設けられた前記光学箱と、を備え、
前記光学箱は、
前記連通穴の一部を閉塞しないように前記連通穴の内壁から立設し、前記連通穴に挿入された前記軸受が嵌合される嵌合部と、
前記光学箱の内部側の前記連通穴の周囲に前記設置面から前記設置面に取り付けられた前記基板へ向かって突出する突起と、を備える。
【発明の効果】
【００１１】
本発明によれば、軸受が嵌合部に嵌合された状態で光学箱の内部と外部とが連通されているので、モータの軸受の放熱を行うことができるとともに、基板に向かって突出する突起により、連通穴を通過した塵挨が光学箱の内部へ浸入することを抑制することができる。
【図面の簡単な説明】
【００１２】
【図１】実施例１によるモータ固定部を示す図。
【図２】実施例１によるモータ固定部の断面図。
【図３】実施例１による光走査装置を示す斜視図。
【図４】実施例１による画像形成装置の断面図。
【図５】リブとリブの間を通る周囲空気の流れを示す図。
【図６】隙間の高さと流入指数との関係を示す図。
【図７】実施例２によるモータ固定部を示す図。
【発明を実施するための形態】
【００１３】
以下、添付図面を参照して、本発明の実施の形態を説明する。
【実施例１】
【００１４】
以下、実施例１を説明する。
【００１５】
（画像形成装置）
図４は、実施例１による画像形成装置１０１の断面図である。画像形成装置１０１は、電子写真方式で記録媒体に画像を形成する。画像形成装置１０１は、給送部１００、画像形成部２００、光走査装置３００、中間転写ベルト４００、二次転写部５００、及び定着部６００を有する。
【００１６】
画像形成部２００は、イエロー、マゼンタ、シアン、及びブラックのトナー像をそれぞれ形成する４つの画像形成部２００Ｙ、２００Ｍ、２００Ｃ、及び２００Ｋからなる。それぞれの画像形成部２００は、感光ドラム２１０（２１０Ｙ、２１０Ｍ、２１０Ｃ、２１０Ｋ）、帯電ローラ２２０（２２０Ｙ、２２０Ｍ、２２０Ｃ、２２０Ｋ）、及び現像器２３０（２３０Ｙ、２３０Ｍ、２３０Ｃ、２３０Ｋ）を有する。
【００１７】
一次転写ローラ２４０（２４０Ｙ、２４０Ｍ、２４０Ｃ、２４０Ｋ）は、中間転写ベルト４００を挟んで像担持体としての感光ドラム（感光体）２１０に対向して配置され、中間転写ベルト４００と感光ドラム２１０との間に一次転写部を形成する。
【００１８】
帯電ローラ２２０は、感光ドラム２１０の表面を一様な電位に均一に帯電する。光走査装置３００は、画像信号に従って変調されたレーザ光（光ビーム）を出射し、均一に帯電された感光ドラム２１０の表面上を光ビームで走査して静電潜像を形成する。現像器２３０は、感光ドラム２１０上の静電潜像をそれぞれの色の現像剤（トナー）で現像してそれぞれの色のトナー像にする。感光ドラム２１０上に形成されたイエロー、マゼンタ、シアン、及びブラックのトナー像は、中間転写ベルト４００の上に順次一次転写されて重ね合わされる。
【００１９】
給送部１００は、記録媒体（以下、シートという。）Ｓを二次転写部５００へ給送する。中間転写ベルト４００上に重ね合わされた４色のトナー像は、二次転写部５００により一括してシートＳ上に二次転写される。その後、シートＳは、定着部６００へ搬送される。定着部６００において、シートＳは、定着ローラ対６１０により挟持されて加熱及び加圧されて、トナー像がシートに定着され、シートＳ上にカラー画像が形成される。
【００２０】
（光走査装置）
図３は、実施例１による光走査装置３００を示す斜視図である。図３（ａ）において、説明のために光学箱２０からカバー部材が取り除かれている光走査装置３００を示す斜視図である。図３（ｂ）において、説明のために光学箱２０からカバー部材及び光学部材が取り除かれている光走査装置３００を示す斜視図である。
【００２１】
光走査装置３００は、一つの回転多面鏡１により４つの光ビームを走査するマルチビーム光走査装置である。光走査装置３００は、光学箱（筐体）２０と、光学箱２０の開口部２０ａを閉じるカバー部材（不図示）とを有する。光学箱２０は、回転多面鏡１、モータ２、及びレンズやミラーなどの光学部材（３０５〜３１７）を収納する。
【００２２】
回転多面鏡（偏向部材）１とモータ２は、偏向装置を構成する。回転多面鏡１は、４つの反射面（偏向面）を有する。本実施例では、回転多面鏡１は、４つの反射面を有するが、これに限定されるものではない。回転多面鏡１は、５つ以上の反射面を有していてもよい。回転多面鏡１は、モータ２により回転可能に支持されている。モータ２は、光走査装置３００の中央付近に配置されている。
【００２３】
レーザユニット３０２は、４つの半導体レーザ（以下、光源という。）３０３（３０３Ｙ、３０３Ｍ、３０３Ｃ、３０３Ｋ）を有する。光源３０３Ｙ、３０３Ｍ、３０３Ｃ、及び３０３Ｋは、イエロー、マゼンタ、シアン、及びブラックの光ビームをそれぞれ出射する。レーザユニット３０２は、ネジ３０４により光学箱２０に固定されている。
【００２４】
４つの光源は、副走査方向（鉛直方向）ＳＳにそれぞれ角度を持って光ビームを出射する。イエローの光源３０３Ｙ及びブラックの光源３０３Ｋは、水平方向に対して下方へ３度の角度で回転多面鏡１へ向かって光ビームを出射する。マゼンタの光源３０３Ｍ及びシアンの光源３０３Ｃは、それぞれ水平方向に対して上方へ３度の角度で回転多面鏡１に向かって光ビームを出射する。回転多面鏡１に入射するイエロー、マゼンタ、シアン、ブラックの光ビームＬ（ＬＹ、ＬＭ、ＬＣ、ＬＫ）は、回転多面鏡１の真横から副走査方向ＳＳに角度を持って、２行２列の状態で回転多面鏡１の隣り合った２つの反射面に入射する。
【００２５】
光源３０３から出射された光ビームは、絞り（不図示）を通過して所望の形状に整形される。整形された光ビームは、コリメータレンズの機能とシリンドリカルレンズの機能を果たすアナモルフィックレンズ３０５により、主走査方向（水平方向）ＭＳに延びる線状に回転多面鏡１上に結像される。なお、副走査方向ＳＳに斜めに入射してきたそれぞれの光ビームは、回転多面鏡１の偏向面（反射面）で交差する。
【００２６】
回転多面鏡１に入射した４つの光ビームは、回転多面鏡１の右側と左側へ偏向される。光源３０３Ｙ及び３０３Ｍから出射されたイエローの光ビームＬＹ及びマゼンタの光ビームＬＭは、図３（ａ）において回転多面鏡１の右側へ偏向される。光源３０３Ｋ及び３０３Ｃから出射されたブラックの光ビームＬＫ及びシアンの光ビームＬＣは、図３（ａ）において回転多面鏡１の左側へ偏向される。回転多面鏡１の右側と左側には、ほぼ対称に走査光学系が配置されている。
【００２７】
イエローの光ビームＬＹは、ｆθレンズ３０６及び３０７を通過してミラー３０８（図４）により感光ドラム２１０Ｙへ導かれる。光ビームＬＹは、感光ドラム２１０Ｙ上でスポット状に結像して感光ドラム２１０Ｙの主走査方向（長手方向）ＭＳに等速で走査して、感光ドラム２１０Ｙ上に静電潜像を形成する。
【００２８】
マゼンタの光ビームＬＭは、ｆθレンズ３０６を通過してミラー３０９により反射され、ｆθレンズ３１０（図４）を通過してミラー３１１により感光ドラム２１０Ｍへ導かれる。光ビームＬＭは、感光ドラム２１０Ｍ上でスポット状に結像して感光ドラム２１０Ｍの主走査方向（長手方向）ＭＳに等速で走査して、感光ドラム２１０Ｍ上に静電潜像を形成する。
【００２９】
シアンの光ビームＬＣは、ｆθレンズ３１２を通過してミラー３１５により反射され、ｆθレンズ３１６を通過してミラー３１７（図４）により感光ドラム２１０Ｃへ導かれる。光ビームＬＣは、感光ドラム２１０Ｃ上でスポット状に結像して感光ドラム２１０Ｃの主走査方向（長手方向）ＭＳに等速で走査して、感光ドラム２１０Ｃ上に静電潜像を形成する。
【００３０】
ブラックの光ビームＬＫは、ｆθレンズ３１２及び３１３を通過してミラー３１４により感光ドラム２１０Ｋへ導かれる。光ビームＬＫは、感光ドラム２１０Ｋ上でスポット状に結像して感光ドラム２１０Ｋの主走査方向（長手方向）ＭＳに等速で走査して、感光ドラム２１０Ｋ上に静電潜像を形成する。
【００３１】
（モータ固定部）
図１は、実施例１によるモータ固定部２１を示す図である。図１（ａ）は、モータ固定部２１の斜視図である。図１（ｂ）は、モータ固定部２１の上視図である。図２は、実施例１によるモータ固定部２１の断面図である。図２（ａ）は、図１（ｂ）におけるIIＡ−IIＡ線に沿って取った断面図である。図２（ｂ）は、図１（ａ）におけるIIＢ−IIＢ線に沿って取った断面図である。図２（ｃ）は、図２（ｂ）における円で囲まれた部分IIＣの拡大図である。
【００３２】
図２（ａ）、図２（ｂ）、及び図３（ｂ）に示すように、光学箱２０は、底面２０ｂから隆起したモータ固定部２１を有する。モータ固定部２１は、光学箱２０の底面２０ｂと一体に形成されている。モータ固定部２１は、モータ２が設置される設置面２１ａと、設置面２１ａの反対側に形成された凹部２１ｂとを有する。
【００３３】
図２（ａ）及び図３（ｂ）に示すように、モータ２及びモータ２を制御する駆動ユニット（駆動回路）３２は、基板（プリント回路板）３３に取り付けられている。図２（ｂ）に示すように、モータ２は、回転軸４を回転させる。回転多面鏡１は、回転軸４に固定されている。モータ２の回転軸４は、軸受３に回転可能に支持されている。軸受３は、回転軸４を回転可能に支持するスリーブである。回転軸４は、スリーブとしての軸受３に流体を介して回転可能に嵌合され、それによって、回転軸４と軸受３は、流体動圧軸受を形成している。しかし、軸受３は、流体動圧軸受に限定されるものではない。基板３３は、モータ２の軸受３を通過させる開口３３ａを備える。
【００３４】
図２（ａ）、図２（ｃ）、及び図３（ｂ）に示すように、基板３３は、駆動ユニット３２が取り付けられた面３３ｂの裏面３３ｃが設置面２１ａに対向するように、光学箱２０のモータ固定部２１に３つのネジ３１により固定される。
【００３５】
図２（ａ）に示すように、光学箱２０のモータ固定部２１の設置面２１ａに、光学箱２０の内部と光学箱２０の外部とを連通させる連通穴（以下、貫通穴という。）２２が設けられている。貫通穴２２は、モータ固定部２１の凹部２１ｂに設けられた円筒状の軸受保持部２５を貫通している。基板３３の開口３３ａを通過した軸受３は、貫通穴２２に挿入される。貫通穴２２の内直径Ｄは、軸受３の外直径ｄよりも大きい。
【００３６】
（リブ）
嵌合部（以下、リブという。）２３は、貫通穴２２の一部を閉塞しないように貫通穴２２の内壁２２ａから立設し、貫通穴２２に挿入された軸受３が嵌合される。複数のリブ２３は、貫通穴２２の内壁（内周面）２２ａから中央に向かって突出している。本実施例においては、４つのリブ２３は、貫通穴２２の内壁２２ａに等間隔で設けられている。４つのリブ２３のそれぞれの先端面２３ａは、図１（ｂ）に示すように、外直径ｄの軸受３の円周面と嵌合する円周の一部を形成している。軸受３は、４つのリブ２３の先端面２３ａにより位置決めされる。よって、４本のリブ２３の先端面２３ａのみがモータ２の軸受３と接しているので、軸受３が周囲空気と接する開放面積を大きくできる。軸受３の端面３ａに加えて、軸受３の側面３ｂも周囲空気と接触する。
【００３７】
本実施例によれば、軸受３を貫通穴２２の全周に嵌合させるのではなく、リブ２３の先端面２３ａの小さな面積で部分的に軸受３を受ける。軸受３の露出面積が増えるので、大きな放熱効果を得ることができる。よって、モータから発生する熱を外部へ放散することができるので、光学箱の温度上昇を抑えることができる。従って、熱による光学箱の変形を低減することができる。
【００３８】
ところで、近年の画像形成装置の傾向として、前述したカラー化に加えて高速化や高解像度化が挙げられる。高速化及び高解像度化を実現するために、一つの手段として、回転多面鏡１を高速で回転させればよい。しかし、回転多面鏡１を高速で回転させると、回転多面鏡１の遠心力で回転多面鏡１を中心として高い負圧が発生し、光走査装置３００の外部の周囲空気を光学箱２０内へ吸い込みやすくなる。
【００３９】
図５は、リブ２３とリブ２３の間を通る周囲空気の流れを示す図である。軸受３と貫通穴２２の間には、リブ２３により隙間が形成されている。図５の矢印で示すように、周囲空気は、軸受３の周りのリブ２３とリブ２３との間を通って光走査装置３００の内部へ容易に侵入することができる。
【００４０】
光走査装置３００の外部の周囲空気には、ごく微小な塵若しくは埃又は画像形成装置１０１の内部で使用されているグリス類の揮発物が混じっている場合がある。そのような周囲空気が光走査装置３００の内部に侵入すると、回転多面鏡１の反射面への塵埃の付着が進行し、数週間から数カ月で光ビームの光量が減少し、画像濃度が薄くなるなどの画像不良を引き起こす。
【００４１】
そこで、本実施例においては、光学箱２０内への周囲空気の侵入を抑制するために、光学箱２０の内部側の貫通穴２２の周囲に設置面２１ａから設置面２１ａに取り付けられた基板３３へ向かって突出する防塵突起部２４を設けた。
【００４２】
（防塵突起部）
図１（ａ）に示すように、防塵突起部（以下、突起という。）２４は、周囲空気が軸受３の外周面と貫通穴２２の内周面との間の部分的な隙間を通して光学箱２０内へ侵入することを防ぐために、光学箱２０に設けられている。
【００４３】
図２（ｃ）に示すように、突起２４は、基板３３の裏面３３ｃに対向する光学箱２０の設置面２１ａから立設している。突起２４は、設置面２１ａから裏面３３ｃへ向かって延在している。突起２４は、貫通穴２２の周囲を囲む囲繞部として形成されている。本実施例においては、突起２４は、貫通穴２２と同心円の円筒形状を有する。しかし、突起２４は、必ずしも貫通穴２２と同心円である必要はなく、突起２４が貫通穴２２を囲んでいる限りにおいて円筒形状の突起２４の中心が貫通穴２２の中心からずれていてもよい。また、突起２４は、必ずしも円筒形状を有している必要はなく、突起２４が貫通穴２２を囲んでいる限りにおいて突起２４は多角形状や楕円形状であってもよい。
【００４４】
図２（ｃ）に示すように、突起２４の先端部２４ａは、基板３３の裏面３３ｃに接触せずに裏面３３ｃから離れている。突起２４の先端部２４ａと基板３３の裏面３３ｃとの間に隙間Ｘが形成されている。突起２４の高さｈは、光学箱２０のモータ固定部２１の肉厚Ｈよりも小さい。
【００４５】
隙間Ｘの高さａは、突起２４の先端部２４ａと基板３３の裏面３３ｃとの間の距離である。隙間Ｘの高さａに従って、光学箱２０の密閉性は変化する。すなわち、隙間Ｘの高さａを変化させることにより、隙間Ｘを通して光学箱２０の外部から内部へ流れる周囲空気の流量が変化する。
【００４６】
図６は、隙間Ｘの高さａと流入指数との関係を示す図である。図６において、横軸は、隙間Ｘの高さａを示し、縦軸は、光学箱２０の外部から内部へ流れる空気の流入量を指数化した流入指数を示す。図６は、突起２４の内径を１６ｍｍとし、突起２４の厚みを２ｍｍとした場合に、隙間Ｘの高さａを変化させたときの空気の流入量の実験結果を示している。経験的に、流入指数が０．１以下であれば十分な密閉性を確保できることがわかっている。よって、本実施例では、流入指数を０．１以下とするために、隙間Ｘの高さａを０．１５ｍｍに設定している。
【００４７】
本実施例において、軸受３の周囲に全周設けられた周方向の隙間Ｘを矩形断面に置き換えて考えると、
隙間Ｘの高さａ：０．１５［ｍｍ］
隙間Ｘの幅ｂ：Ｄ×π＝１６π［ｍｍ］（本実施例ではＤ＝１６［ｍｍ］）
隙間Ｘの奥行Ｌ：２［ｍｍ］
となる。
【００４８】
隙間Ｘの幅ｂは、突起２４の周方向長さである。隙間Ｘの奥行Ｌは、突起２４の厚みである。
【００４９】
一般に、流路を通る流体の流れやすさ（コンダクタンス）αは、流路の断面積と流路の長さによって決まり、流路の断面積に比例して流路の長さに反比例することが知られている。
【００５０】
ここで、流路としての隙間Ｘの断面積は、隙間Ｘの高さａと幅ｂとの積により表される。流路としての隙間Ｘの長さは、隙間Ｘの奥行Ｌにより表される。隙間Ｘを通る流体の流れやすさ（コンダクタンス）αは、次の式で表される。
α＝（ａ×ｂ）／Ｌ
本実施例における数値を上の式に代入すると、αは約３．８となる。
【００５１】
よって、以下の条件を満たすときに、モータ２の軸受３と光学箱２０の貫通穴２２との間に十分な密閉性を得られる。
０＜α≦３．８
【００５２】
なお、突起２４が設けられている限り隙間Ｘの幅ｂ及び隙間Ｘの奥行きＬは、０よりも大きいので、コンダクタンスαが０とすると、隙間Ｘの高さａが０となる。隙間Ｘの高さａが０ということは、隙間Ｘが設けられていないということになるので、コンダクタンスαが０の場合を除いている。
【００５３】
本実施例によれば、モータ２の軸受３を複数のリブ２３で支持し軸受３の放熱効果を高めた光走査装置３００において、軸受３が挿入される貫通孔２２を囲む突起２４を設置面２１ａに設け、突起２４と基板３３の裏面３３ｃとの間に適切な隙間Ｘを設けている。これによって、光学箱２０の密閉性を確保することができる。
【００５４】
なお、基板３３の裏面３３ｃに対向する設置面２１ａに突起２４を設けずに、基板３３の裏面３３を設置面２１ａに近づけて配置し、裏面３３ｃと設置面２１ａとの間の隙間を小さくすることにより防塵性を確保することも考えられる。しかし、この場合、基板３３の裏面３３ｃと設置面２１ａとの間にほとんど空間がなくなってしまうため、モータ２を駆動する駆動ユニット３２から発生する熱により光学箱２０が変形するおそれが考えられる。本実施例においては、突起２４を設けているので、基板３３の裏面３３ｃと設置面２１ａとの間に十分な空間を確保することができ、それによって、駆動ユニット３２から発生する熱による光学箱２０の変形を防止することができる。
【００５５】
本実施例によれば、モータ２を高速で回転させて光ビームを走査する光走査装置３００において、モータ２の軸受３の昇温による光学箱２０の変形を抑えながら、周囲空気の光学箱２０内への侵入を抑制することができる。
【実施例２】
【００５６】
以下、図７を参照して実施例２を説明する。
図７は、実施例２によるモータ固定部２１を示す図である。図７（ａ）は、モータ固定部２１の斜視図である。図７（ｂ）は、モータ固定部２１の断面図である。
【００５７】
実施例２において、実施例１と同様の構成には同様の参照符号を付して説明を省略する。実施例２の画像形成装置１０１及び光走査装置３００は、実施例１と同様であるので説明を省略する。実施例２によるモータ固定部２１に設けられた貫通穴２２は、リブを有していない点で実施例１と異なる。以下、実施例１と異なる点について説明する。
【００５８】
実施例１において、モータ２の軸受３は、貫通穴２２の内壁２２ａに等間隔で設けられた４つのリブ２３の先端面２３ａにより位置決めされている。実施例２においては、周囲空気に開放される軸受３の面積をより大きくするために、図７（ａ）に示すように、貫通穴２２からリブを削除し、軸受３の側面３ｂの全体を開放している。
【００５９】
この場合、光学箱２０に対するモータ２の軸受３の位置決めは、図７（ｂ）に示す位置決め工具３０を用いて行う。位置決め工具３０は、穴３０ｃが設けられた中空円筒体である。位置決め工具３０は、円筒状の外壁３０ａと円筒状の内壁３０ｂを有する。位置決め工具３０の円筒状の外壁３０ａは、貫通穴２２の円筒状の内壁２２ａに嵌合する。位置決め工具３０の円筒状の内壁３０ｂは、軸受３の円筒状の側面３ｂに嵌合する。
【００６０】
光走査装置３００の組み立て時に、光学箱２０の下から位置決め工具３０を貫通穴２２へ挿入して、位置決め工具３０の円筒状の外壁３０ａを貫通穴２２の円筒状の内壁２２ａに嵌合させる。次に、モータ２の軸受３を位置決め工具３０の穴３０ｃへ挿入して、軸受３の円筒状の側壁３ｂを位置決め工具３０の円筒状の内壁３０ｂに嵌合させる。これによって、モータ２の軸受３は、光学箱２０に対して位置決めされる。軸受３を位置決めした状態で、基板３３をネジ３１により光学箱２０のモータ固定部２１の設置面２１ａに取り付ける。その後、位置決め工具３０を貫通穴２２から取り外す。
【００６１】
位置決め工具３０を用いることにより、モータ２の軸受３を位置決める機構が光学箱２０に設けられていなくても、モータ２を所望の位置に固定することができる。
なお、実施例２による突起２４は、実施例１と同様であるので説明を省略する。
【００６２】
実施例２においても、実施例１と同様に、光学箱２０の密閉性を保ちつつ、モータ２の熱をより効率的に外部へ放散させることができる。
【００６３】
本実施例によれば、モータ２を高速で回転させて光ビームを走査する光走査装置３００において、モータ２の軸受３の昇温による光学箱２０の変形を抑えながら、周囲空気の光学箱２０内への侵入を抑制することができる。
【符号の説明】
【００６４】
１    回転多面鏡
２    モータ
３    軸受
２０    光学箱
２１ａ  設置面
２２    貫通穴（連通穴）
２２ａ  内壁
２３    リブ（嵌合部）
２４    突起
３２    駆動ユニット
３３    基板
３３ａ  開口
３３ｃ  裏面
【図１】
2015041076.tif 000003
【図２】
2015041076.tif 000004
【図３】
2015041076.tif 000005
【図４】
2015041076.tif 000006
【図５】
2015041076.tif 000007
【図６】
2015041076.tif 000008
【図７】
2015041076.tif 000009